(57)【要約】【課題】良好な証拠写真を確保しつつ、証拠写真と検査結果の関連づけを現場で簡易に入力できるようにする。【解決手段】検査チェックシート作成、検査結果の入力、証拠写真の撮影、帳票の出力という一連の検査作業を、サーバ１、ＰＣ２、携帯端末３を用いて容易に行える。特に、検査ポイントの入力、検査結果の入力および証拠写真の撮影、証拠写真の合否判定、あるいは再撮影は携帯端末３を用いて行えるため、検査現場での携帯性と操作性が高く、また検査現場で確実に良好な証拠写真を確保でき、後から証拠写真を取り直したり、あるいは良否の不明な写真を何枚も撮影しておいて後から選別する必要がなくなる。【選択図】  図５
2010277442.tif 000002
【特許請求の範囲】
【請求項１】
検査対象および検査内容に関する検査情報と前記検査情報に関連する図面情報とを入力する検査内容入力部と、
前記検査内容入力部の入力した検査情報および図面情報に基づいて検査チェックシートを生成する検査チェックシート生成部と、
を有する検査チェックシート生成装置と、
前記検査チェックシート生成部の生成した検査チェックシートに基づいて検査情報および図面情報を表示する表示部と、
前記表示部に表示された図面情報に従って前記検査チェックシートに含まれる検査対象の中から所望の検査対象を選択する検査対象選択部と、
前記検査対象選択部の選択した検査対象の検査内容に対応する検査結果を入力する検査結果入力部と、
前記検査対象を被写体とした画像を撮影可能な撮影部と、
前記撮影部の前記撮影部の撮影した画像である証拠写真の合否を所定の撮影条件に基づいて判定する合否判定部と、
前記検査対象選択部の選択した検査対象と前記検査結果入力部の入力した検査結果と前記合否判定部が合格と判定した証拠写真とを対応づけた検査結果データを記憶可能な記憶部と、
を有する携帯端末と、
を備える建設検査システム。
【請求項２】
前記記憶部に記憶された検査結果データを所定の帳票形式に変換して出力する帳票出力部を備える請求項１に記載の建設検査システム。
【請求項３】
前記記憶部に記憶された検査結果データに含まれる検査結果および／または前記合否判定の判定結果に応じて検査結果の再入力および／または前記証拠写真の再撮影を誘導する再検査部を備える請求項１または２に記載の建設検査システム。
【請求項４】
前記再検査部は、前記記憶部に記憶された検査結果データに含まれる証拠写真と前記撮影部から得られる画角確認画像の双方を前記表示部に表示する請求項３に記載の建設検査システム。
【請求項５】
前記記憶部に記憶された検査結果データに含まれる検査結果に応じて前記検査結果を所定の通信機器に通知する通知部を備える請求項１〜４のいずれかに記載の建設検査システム。
【請求項６】
前記検査内容入力部が入力する図面情報は見取り図面および前記見取り図面上での位置情報が付与された検査対象の部材図面を含み、
前記検査対象選択部は、前記見取り図面上の検査対象の位置を指定することで検査対象を選択し、
前記表示部は、前記検査対象選択部の選択した検査対象の部材図面を表示する請求項１〜５のいずれかに記載の建設検査システム。
【請求項７】
前記携帯端末は、前記検査対象選択部の選択した検査対象の撮影ポイントを入力する撮影ポイント入力部を含み、
前記記憶部は、前記検査対象選択部の選択した検査対象と前記検査結果入力部の入力した検査結果と前記撮影ポイント入力部の入力した撮影ポイントと前記証拠写真とを対応づけた検査結果データを記憶し、
前記検査内容入力部が入力する検査情報は前記部材図面上に配置された撮影ポイントのパターンを含み、
前記撮影ポイント入力部は、前記表示部の表示した部材図面上に設けられた撮影ポイントのパターンから所望の撮影ポイントを選択させることで撮影ポイントを入力する請求項６に記載の建設検査システム。
【請求項８】
前記合否判定部による合否判定結果を出力する出力部を備える請求項１〜７のいずれかに記載の建設検査システム。
【請求項９】
前記撮影条件は、画像の解像度、画像のサイズ、画像ファイルのサイズ、天地情報、輝度、画像のボケ情報、画像のブレ情報、不要な被写体の存在、地面の水平度および前記証拠写真内の文字の可読性のうち少なくとも１つを含む請求項１〜８のいずれかに記載の建設検査システム。
【請求項１０】
検査対象および検査内容に関する検査情報と前記検査情報に関連する図面情報を含む検査チェックシートに基づいて検査情報および図面情報を表示する表示部と、
前記表示部に表示された図面情報に従って前記検査チェックシートに含まれる検査対象の中から所望の検査対象を選択する検査対象選択部と、
前記検査対象選択部の選択した検査対象の検査内容に対応する検査結果を入力する検査結果入力部と、
前記検査対象を被写体とした画像を撮影可能な撮影部と、
前記撮影部の撮影した画像である証拠写真の合否を所定の撮影条件に基づいて判定する合否判定部と、
前記検査対象選択部の選択した検査対象と前記検査結果入力部の入力した検査結果と前記合否判定部が合格と判定した証拠写真とを対応づけた検査結果データを記憶可能な記憶部と、
を備える携帯端末。
【請求項１１】
携帯端末が、
検査対象および検査内容に関する検査情報と前記検査情報に関連する図面情報を含む検査チェックシートに基づいて検査情報および図面情報を表示するステップと、
前記表示された図面情報に従って前記検査チェックシートに含まれる検査対象の中から所望の検査対象を選択するステップと、
前記選択した検査対象の検査内容に対応する検査結果を入力するステップと、
前記検査対象を被写体とした画像を撮影するステップと、
前記撮影した画像である証拠写真の合否を所定の撮影条件に基づいて判定するステップと、
前記選択した検査対象と前記入力した検査結果と前記合格と判定した証拠写真とを対応づけた検査結果データを記憶するステップと、
を実行する建設検査方法。
【請求項１２】
請求項１１に記載の建設検査方法を携帯端末に実行させるための建設検査プログラム。
【発明の詳細な説明】
【技術分野】
【０００１】
本発明は、建設などの工事における施工検査業務を支援するシステムに関する。
【背景技術】
【０００２】
ビル建設などの工事における施工検査業務、例えば配筋検査と呼ばれる鉄筋の配置状況をチェックする検査に関して、これを効率的に行うためのシステムが従来開発されている。
【０００３】
特許文献１では、物件情報、施工検査工程、施工検査結果及び工事進捗状況等を入力する入力手段と、入力された情報の保存及び管理を行う記憶手段と、PC等の端末から通信ネットワークを介してサーバと通信する通信手段と、検査結果として用いる写真の精選処理や検査結果等の申請・承認処理などを行う情報処理手段と、検査結果や工事の進捗状況等を閲覧できる表示手段と、「品質監理報告書」を出力することのできる印刷手段とを備えた品質管理システムを利用する。
【０００４】
特許文献２では、物件検査用携帯端末装置は、建築工事の対象となる物件について、その検査を行なう担当者が所持する。端末装置には、端末装置自身の地理的な位置情報を測定する位置測定器（ＧＰＳ）が設けられている。端末装置には、あらかじめホストコンピュータから、現場検査支援情報がダウンロードされている。検査担当者が現場に到着し、物件の検査を開始するとき、位置測定器がその現場の位置を測定して、自動的に該当する物件の現場検査支援情報を取り出して携帯端末装置に表示する。
【０００５】
特許文献３では、全工区記憶手段の建造物の全工区図面を液晶表示手段に表示し、この全工区平面図上の任意１つの工区をタッチペンでタッチして、個別通り芯図面記憶手段の通り芯平面図を液晶表示手段に表示し、検査部位項目の１つをタッチペンで指示することで、配筋検査部位の配置場所を液晶表示手段の通り芯平面図上にプロット表示し、この配筋検査部位の任意１つをタッチペンでタッチすることによりチェック項目を液晶表示手段に表示し、その後、チェック項目毎に配筋検査部位の配筋工事状態を確認しながらチェックし、そのチェック結果に応じた判定結果をタッチペンによりチェック項目表示画面の判定欄に表示する構成にした。
【０００６】
特許文献４では、検査員が携行する検査データ入力装置として汎用電子手帳を使用し、汎用パソコンで作成編集した検査用図面および検査用マスタデータを電子手帳にダウンロードし、この電子手帳の画面上で、図面に直接ペンタッチにより検査データを入力し、検査終了後、電子手帳のＩＣメモリカードに記憶された検査データ（不具合部位、不具合部品、不具合状況、業者を表す）をパソコンで処理し、各種帳票を印刷出力するように構成される。
【０００７】
特許文献５は、画像のピンボケ、手ブレ判定の一例である。
【０００８】
非特許文献１では、ＰＤＡに検査箇所の配筋図と確認事項を表示し、検査箇所ごとに配筋写真を管理し、キープラン、配筋図、工事写真を含む報告書を作成するとする。
【先行技術文献】
【特許文献】
【０００９】
【特許文献１】特開２００８−１４６１０７号公報
【特許文献２】特開２００２−７３７４０号公報
【特許文献３】特開平１０−２５８９５号公報
【特許文献４】特開平７−２５４０２０号公報
【特許文献５】特開２００６−１９８７４号公報
【非特許文献】
【００１０】
【非特許文献１】大林組技術研究所生産技術研究部「配筋検査システム−携帯端末と写真理機能で配筋検査を支援−」、インターネットＵＲＬ［http://www.obayashi.co.jp/technology/shoho/pdf/leeflet/3-217.pdf］、平成２１年５月１４日検索
【発明の概要】
【発明が解決しようとする課題】
【００１１】
実際の検査の証拠写真撮影においては、撮影した証拠写真が不良であった場合、検査員はその場での証拠写真の取り直しを行って必ず良好な証拠写真を確保することが求められる。例えば、配筋検査は型枠へのコンクリート打設前に行われるが、後で配筋検査の証拠写真が不良であることが発覚した場合、コンクリートを破壊して内部の鉄筋の写真を取り直さなければならくなるので、検査員はコンクリート打設前に良好な証拠写真を確保しなければならない。
【００１２】
この点、従来技術では、携帯情報端末による良好な証拠写真の確保に関して、上記の問題を解決していない。また、良否の不明な証拠写真を何枚か撮影しておいて後から良好な証拠写真を選別することも考えられるが、作業が煩雑であるし、何枚もの証拠写真を大量に蓄積できる記憶媒体の確保が必要になってしまう。
【００１３】
本発明は、良好な証拠写真を確保しつつ、証拠写真と検査結果の関連づけを現場で簡易に入力できるようにする。
【課題を解決するための手段】
【００１４】
本発明は、検査対象および検査内容に関する検査情報と検査情報に関連する図面情報とを入力する検査内容入力部と、検査内容入力部の入力した検査情報および図面情報に基づいて検査チェックシートを生成する検査チェックシート生成部と、を有する検査チェックシート生成装置と、検査チェックシート生成部の生成した検査チェックシートに基づいて検査情報および図面情報を表示する表示部と、表示部に表示された図面情報に従って検査チェックシートに含まれる検査対象の中から所望の検査対象を選択する検査対象選択部と、検査対象選択部の選択した検査対象の検査内容に対応する検査結果を入力する検査結果入力部と、検査対象を被写体とした画像を撮影可能な撮影部と、撮影部の撮影部の撮影した画像である証拠写真の合否を所定の撮影条件に基づいて判定する合否判定部と、検査対象選択部の選択した検査対象と検査結果入力部の入力した検査結果と合否判定部が合格と判定した証拠写真とを対応づけた検査結果データを記憶可能な記憶部と、を有する携帯端末と、を備える建設検査システムを提供する。
【００１５】
記憶部に記憶された検査結果データを所定の帳票形式に変換して出力する帳票出力部を備える。
【００１６】
記憶部に記憶された検査結果データに含まれる検査結果および／または合否判定の判定結果に応じて検査結果の再入力および／または証拠写真の再撮影を誘導する再検査部を備える。
【００１７】
再検査部は、記憶部に記憶された検査結果データに含まれる証拠写真と撮影部から得られる画角確認画像の双方を表示部に表示する。
【００１８】
記憶部に記憶された検査結果データに含まれる検査結果に応じて検査結果を所定の通信機器に通知する通知部を備える。
【００１９】
検査内容入力部が入力する図面情報は見取り図面および見取り図面上での位置情報が付与された検査対象の部材図面を含み、検査対象選択部は、見取り図面上の検査対象の位置を指定することで検査対象を選択し、表示部は、検査対象選択部の選択した検査対象の部材図面を表示する。
【００２０】
携帯端末は、検査対象選択部の選択した検査対象の撮影ポイントを入力する撮影ポイント入力部を含み、記憶部は、検査対象選択部の選択した検査対象と検査結果入力部の入力した検査結果と撮影ポイント入力部の入力した撮影ポイントと証拠写真とを対応づけた検査結果データを記憶し、検査内容入力部が入力する検査情報は部材図面上に配置された撮影ポイントのパターンを含み、撮影ポイント入力部は、表示部の表示した部材図面上に設けられた撮影ポイントのパターンから所望の撮影ポイントを選択させることで撮影ポイントを入力する。
【００２１】
合否判定部による合否判定結果を出力する出力部を備える。
【００２２】
撮影条件は、画像の解像度、画像のサイズ、画像ファイルのサイズ、天地情報、輝度、画像のボケ情報、画像のブレ情報、不要な被写体の存在、地面の水平度および証拠写真内の文字の可読性のうち少なくとも１つを含む。
【００２３】
本発明は、検査対象および検査内容に関する検査情報と検査情報に関連する図面情報を含む検査チェックシートに基づいて検査情報および図面情報を表示する表示部と、表示部に表示された図面情報に従って検査チェックシートに含まれる検査対象の中から所望の検査対象を選択する検査対象選択部と、検査対象選択部の選択した検査対象の検査内容に対応する検査結果を入力する検査結果入力部と、検査対象を被写体とした画像を撮影可能な撮影部と、撮影部の撮影した画像である証拠写真の合否を所定の撮影条件に基づいて判定する合否判定部と、検査対象選択部の選択した検査対象と検査結果入力部の入力した検査結果と合否判定部が合格と判定した証拠写真とを対応づけた検査結果データを記憶可能な記憶部と、を備える携帯端末を提供する。
【００２４】
本発明は、携帯端末が、検査対象および検査内容に関する検査情報と検査情報に関連する図面情報を含む検査チェックシートに基づいて検査情報および図面情報を表示するステップと、表示された図面情報に従って検査チェックシートに含まれる検査対象の中から所望の検査対象を選択するステップと、選択した検査対象の検査内容に対応する検査結果を入力するステップと、検査対象を被写体とした画像を撮影するステップと、撮影した画像である証拠写真の合否を所定の撮影条件に基づいて判定するステップと、選択した検査対象と入力した検査結果と合格と判定した証拠写真とを対応づけた検査結果データを記憶するステップと、を実行する建設検査方法を提供する。
【００２５】
この建設検査方法を携帯端末に実行させるための建設検査プログラムも本発明に含まれる。
【発明の効果】
【００２６】
本発明によると、検査チェックシート作成、検査結果の入力、証拠写真の撮影、証拠写真の合否判定、帳票の出力という一連の検査作業を、検査チェックシート生成装置および携帯端末を用いて容易に行える。特に、検査ポイントの入力、検査結果の入力および証拠写真の撮影、証拠写真の合否判定、あるいは再撮影は携帯端末を用いて行えるため、検査現場で確実に良好な証拠写真を確保でき、後から証拠写真を取り直したり、あるいは良否の不明な写真を何枚も撮影しておいて後から選別する必要がなくなる。
【図面の簡単な説明】
【００２７】
【図１】建設検査システムの概略構成図
【図２】建設検査システムの処理内容の概要を示す図
【図３】カメラ付き携帯端末のブロック図
【図４】検査チェックシート生成処理のフローチャート
【図５】検査業務処理のフローチャート
【図６】部材図面の表示例を示す図
【図７】再検査処理のフローチャート
【図８】伏図の表示例を示す図
【発明を実施するための形態】
【００２８】
図１は本発明の好ましい実施形態に係る建設検査システムの概略構成を示す。このシステムは、サーバ１、パソコン（ＰＣ）２、カメラ付き携帯端末３を含む。サーバ１、パソコン２、カメラ付き携帯端末３、プリンタ４は、移動体通信網、インターネットおよびＬＡＮなどで構築されたネットワーク５を介して相互に接続可能である。
【００２９】
サーバ１は、検査情報を一元的に検査情報ＤＢ１ａにて管理する。サーバ１およびパソコン２は、コンピュータ（ＣＰＵ，ＲＡＭ，ＲＯＭなど演算処理に必要な回路、データ記憶媒体、データ入出力回路、表示回路、操作装置、通信回路などを備えたもの）で構成することができる。検査情報ＤＢ１ａは、ハードディスクユニットのような大容量記憶媒体で構成することができる。
【００３０】
検査情報ＤＢ１ａに蓄積される検査情報は、工事物件名、検査図面、検査種類（配筋検査など）、検査箇所（建物の階数など）、検査対象（柱、梁、壁など）、検査項目（種類、数、ピッチなど）、検査ポイント（柱の断面を外側から囲む等間隔で配置された点など）を含む。検査図面は、見取り図面（伏図）、部材図面（配筋図、断面図など）を含み、部材図面および検査対象は、見取り図面に配置された各部材の位置に対応づけられている。
【００３１】
図２は建設検査システムの処理内容の概要を示す。このシステムでは、検査チェックシートの生成（Ｓｔｅｐ１）、検査結果の入力および証拠写真の撮影（Ｓｔｅｐ２）、検査結果の帳票出力（Ｓｔｅｐ３）が実行される。これらの処理の具体的流れは後述する。
【００３２】
図３は、カメラ付き携帯端末３の構成を例示する。カメラ付き携帯端末３全体の動作は中央処理装置（ＣＰＵ）３０によって統括制御される。ＣＰＵ３０は、所定のプログラムに従って動作を制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００３３】
バス３２を介してＣＰＵ３０と接続されたＲＯＭ３４には、ＣＰＵ３０が実行するプログラム及び制御に必要な各種データ等が格納され、ＥＥＰＲＯＭ３６には、ＣＣＤ画素欠陥情報、カメラ動作に関する各種定数／情報等が格納されている。
【００３４】
また、メモリ（ＳＤＲＡＭ）３８は、プログラムの展開領域及びＣＰＵ３０の演算作業用領域として利用されるとともに、画像データや音声データの一時記憶領域として利用される。ＶＲＡＭ４０は画像データ専用の一時記憶メモリであり、Ａ領域４０ＡとＢ領域４０Ｂが含まれている。メモリ３８とＶＲＡＭ４０は共用することが可能である。
【００３５】
カメラ付き携帯端末３にはモード選択スイッチ４２、撮影ボタン４４、その他、メニュー／ＯＫキー、十字キー、キャンセルキーなどの操作手段４６が設けられている。これら各種の操作部（４２〜４６）からの信号はＣＰＵ３０に入力され、ＣＰＵ３０は入力信号に基づいてカメラ付き携帯端末３の各回路を制御し、例えば、レンズ駆動制御、撮影動作制御、画像処理制御、画像データの記録／再生制御、画像表示装置４８の表示制御などを行う。
【００３６】
モード選択スイッチ４２は、撮影モードと再生モードとを切り換えるための操作手段である。モード選択スイッチ４２を操作して可動接片４２Ａを接点ａに接続させると、その信号がＣＰＵ３０に入力され、カメラ付き携帯端末３は撮影モードに設定され、可動接片４２Ａを接点ｂに接続させると、カメラ付き携帯端末３は記録済みの画像を再生する再生モードに設定される。
【００３７】
撮影ボタン４４は、撮影開始の指示を入力する操作ボタンであり、半押し時にＯＮするＳ１スイッチと、全押し時にＯＮするＳ２スイッチとを有する二段ストローク式のスイッチで構成されている。
【００３８】
画像表示装置４８は、カラー表示可能な液晶ディスプレイで構成されている。画像表示装置４８は、撮影時に画角確認用の電子ファインダとして使用できるとともに、記録済み画像を再生表示する手段として利用される。また、画像表示装置４８は、ユーザインターフェース用表示画面としても利用され、必要に応じてメニュー情報や選択項目、設定内容などの情報が表示される。
【００３９】
モード選択スイッチ４２によって撮影モードが選択されると、カラーＣＣＤ固体撮像素子（以下ＣＣＤと記載）５０を含む撮像部に電源が供給され、撮影可能な状態になる。
【００４０】
レンズユニット６０は、フォーカスレンズを含む撮影レンズ６２と絞り兼用メカシャッター６４とを含む光学ユニットである。レンズユニット６０は、ＣＰＵ３０によって制御されるレンズ駆動部６６、絞り駆動部６８によって電動駆動され、ズーム制御、フォーカス制御及びアイリス制御が行われる。
【００４１】
レンズユニット６０を通過した光は、ＣＣＤ５０の受光面に結像される。ＣＣＤ５０の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ５０は、各フォトダイオードの電荷蓄積時間（シャッタースピード）を制御する電子シャッター機能を有している。ＣＰＵ３０は、タイミングジェネレータ７０を介してＣＣＤ５０での電荷蓄積時間を制御する。尚、ＣＣＤ５０に代えてＭＯＳ型など他の方式の撮像素子を用いてもよい。
【００４２】
ＣＣＤ５０の受光面に結像された被写体像は、各フォトダイオードによって入射光量に応じた量の信号電荷に変換される。各フォトダイオードに蓄積された信号電荷は、ＣＰＵ３０の指令に従いタイミングジェネレータ７０から与えられる駆動パルスに基づいて信号電荷に応じた電圧信号（画像信号）として順次読み出される。
【００４３】
ＣＣＤ５０から出力された信号はアナログ処理部（ＣＤＳ／ＡＭＰ）７２に送られ、ここで画素ごとのＲ，Ｇ，Ｂ信号がサンプリングホールド（相関二重サンプリング処理）され、増幅された後、Ａ／Ｄ変換器７４に加えられる。Ａ／Ｄ変換器７４によってデジタル信号に変換された点順次のＲ，Ｇ，Ｂ信号は、画像入力コントローラ７６を介してメモリ３８に記憶される。
【００４４】
画像信号処理回路７８は、メモリ３８に記憶されたＲ，Ｇ，Ｂ信号をＣＰＵ３０の指令に従って処理する。即ち、画像信号処理回路７８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ３０からのコマンドに従ってメモリ３８を活用しながら所定の信号処理を行う。
【００４５】
画像信号処理回路７８に入力されたＲＧＢの画像データは、画像信号処理回路７８において輝度信号（Ｙ信号）及び色差信号（Ｃr,Ｃb 信号）に変換されるとともに、ガンマ補正等の所定の処理が施される。画像信号処理回路７８で処理された画像データはＶＲＡＭ４０に格納される。
【００４６】
撮影画像を画像表示装置４８にモニタ出力する場合、ＶＲＡＭ４０から画像データが読み出され、バス３２を介してビデオエンコーダ８０に送られる。ビデオエンコーダ８０は、入力された画像データを表示用の所定方式の信号（例えば、ＮＴＳＣ方式のカラー複合映像信号）に変換して画像表示装置４８に出力する。
【００４７】
ＣＣＤ５０から出力される画像信号によって、１コマ分の画像を表す画像データがＶＲＡＭ４０のＡ領域４０ＡとＢ領域４０Ｂとで交互に書き換えられる。ＶＲＡＭ４０のＡ領域４０Ａ及びＢ領域４０Ｂのうち、画像データが書き換えられている方の領域以外の領域から、書き込まれている画像データが読み出される。このようにしてＶＲＡＭ４０内の画像データが定期的に書き換えられ、その画像データから生成される映像信号が画像表示装置４８に供給されることにより、撮像中の映像がリアルタイムに画像表示装置４８に表示される。撮影者は、画像表示装置４８に表示される映像（スルームービー画）によって撮影画角を確認できる。
【００４８】
撮影ボタン４４が半押しされ、Ｓ１がオンすると、デジタルカメラ１０’はＡＥ及びＡＦ処理を開始する。即ち、ＣＣＤ５０から出力された画像信号はＡ／Ｄ変換後に画像入力コントローラ７６を介してＡＦ検出回路８２並びにＡＥ／ＡＷＢ検出回路８４に入力される。
【００４９】
ＡＥ／ＡＷＢ検出回路８４は、１画面を複数のエリア（例えば、１６×１６）に分割し、分割エリアごとにＲＧＢ信号を積算する回路を含み、その積算値をＣＰＵ３０に提供する。ＣＰＵ３０は、ＡＥ／ＡＷＢ検出回路８４から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ３０はＣＣＤ５０の電子シャッター及びアイリスを制御して適正な露光量を得る。
【００５０】
また、ＡＥ／ＡＷＢ検出回路８４は、自動ホワイトバランス調整時には、分割エリアごとにＲＧＢ信号の色別の平均積算値を算出し、その算出結果をＣＰＵ３０に提供する。ＣＰＵ３０は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。
【００５１】
本デジタルカメラ１０’におけるＡＦ制御は、例えば映像信号のＧ信号の高周波成分が極大になるようにフォーカシングレンズ（撮影レンズ６２を構成するレンズ光学系のうちフォーカス調整に寄与する移動レンズ）を移動させるコントラストＡＦが適用される。即ち、ＡＦ検出回路８２は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００５２】
ＡＦ検出回路８２で求めた積算値のデータはＣＰＵ３０に通知される。ＣＰＵ３０は、レンズ駆動部６６を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部６６を制御する。尚、ＡＦ評価値の演算はＧ信号を利用する態様に限らず、輝度信号（Ｙ信号）を利用してもよい。
【００５３】
撮影ボタン４４が半押しされ、Ｓ１オンによってＡＥ／ＡＦ処理が行われ、撮影ボタン４４が全押しされ、Ｓ２オンによって記録用の撮影動作がスタートする。Ｓ２オンに応動して取得された画像データは画像信号処理回路７８において輝度／色差信号（Ｙ／Ｃ信号）に変換され、ガンマ補正等の所定の処理が施された後、メモリ３８に格納される。
【００５４】
メモリ３８に格納されたＹ／Ｃ信号は、圧縮伸張回路８６によって所定のフォーマットに従って圧縮された後、カードリーダ／ライタ２２を介してメモリカード１００に記録することができる。例えば、静止画についてはJPEG（Joint Photographic Experts Group）形式で記録される。
【００５５】
モード選択スイッチ４２により再生モードが選択されると、メモリカード１００に記録されている最終の画像ファイル（最後に記録されたファイル）の圧縮データが読み出される。最後の記録に係るファイルが静止画ファイルの場合、この読み出された画像圧縮データは、圧縮伸張回路８６を介して非圧縮のＹＣ信号に伸張され、画像信号処理回路７８及びビデオエンコーダ８０を介して表示用の信号に変換された後、画像表示装置４８に出力される。これにより、当該ファイルの画像内容が画像表示装置４８の画面上に表示される。
【００５６】
静止画の一コマ再生中（動画の先頭フレーム再生中も含む）に、十字キーの右キー又は左キーを操作することによって、再生対象のファイルを切り換えること（順コマ送り／逆コマ送り）ができる。コマ送りされた位置の画像ファイルがメモリカード１００から読み出され、上記と同様にして静止画像や動画が画像表示装置４８に再生表示される。
【００５７】
また、カメラ付き携帯端末３は、送話音声を入力するマイクロフォン１２と、受話音声を出力するスピーカ１４と、マイクロフォン１２から入力された音声の符号化及び受信した音声の復号化を行う音声処理部２６と、サーバ１、ＰＣ２あるいは別の携帯端末３と移動体通信網を介して音声、画像その他のデータを通信する通信回路１５を備える。
【００５８】
カメラ付き携帯端末３は、公知のカメラ付き携帯電話やカメラ付きＰＤＡなどで構成できる。なお、音声の通話に関わる回路はなくてもよい。
【００５９】
図４は検査チェックシート生成処理のフローチャートを示す。ＰＣ２はウェブブラウザでサーバ１のＵＲＬを指定することでサーバ１にアクセスし、ユーザアカウント情報（ＩＤとパスワードの組み合わせなど）をサーバ１に送信する。サーバ１は受信したユーザアカウント情報とＤＢ１ａに予め蓄積された正当なユーザアカウント情報とを照合し、その照合結果に基づいてＰＣ２を認証する。サーバ１は、認証完了後、ＰＣ２への指示（専用のボタンアイコンの押下など）があったことに応じてこの処理を開始する。この処理をサーバ１およびＰＣ２に実行させるプログラムはサーバ１およびＰＣ２の記憶媒体に記憶されている。
【００６０】
Ｓ１では、サーバ１はＰＣ２に対し、検査情報入力画面を送信する。ＰＣ２は当該画面をサーバ１から受信して表示し、当該画面に沿って検査情報の入力を受け付ける。検査情報の入力方式は任意であり、キーボードその他の操作装置によるテキスト入力や、リストボックスからの項目選択により行うことができる。例えば、工事物件名「○○ビル」、検査種類「配筋検査」、検査箇所「３Ｆ」、検査対象部材「柱」、検査ポイント「１」、・・・、「９」などを入力できる。ＰＣ２は操作装置から入力された検査情報を一時ＲＡＭに蓄える。検査対象部材は複数入力できる。
【００６１】
Ｓ２では、ＰＣ２は当該画面の指示に従って検査図面の入力を受け付ける。検査図面はＰＣ２上で動作するＣＡＤアプリケーションから出力されたものや、ＰＤＦ、ｊｐｅｇ画像など各種の規格に従っている。ＰＣ２に保存されている図面の中から所望の図面ファイルの選択を受け付け、選択された図面ファイルを検査図面としてもよい。ＰＣ２は入力された検査図面を一時ＲＡＭに蓄える。
【００６２】
またＰＣ２は、Ｓ１で入力された検査対象部材に、当該検査対象部材に相当する個々の部材図面および当該検査対象部材の存在する見取り図面上の位置を指定する情報である部材関連情報の入力を受け付ける。すなわち、各検査対象部材は見取り図面上で固有の設置位置を有しており、かつそれぞれ固有の構造を有するため、本ステップでは、各検査対象部材の見取り図面上での設置位置を示す位置情報および各検査対象部材の構造を特定する情報である部材図面を含む部材関連情報を確保する。
【００６３】
Ｓ３では、ＰＣ２は当該画面の指示に従って検査内容の入力を受け付ける。検査内容とは、この検査においてどのような項目や内容をチェックするかを具体的に示す情報であり、これもデータ形式やフォーマットは任意である。例えば、「種類」、「数」、「ピッチ」などの文章を記述したテキストデータ、当該テキストデータに付随するチェックボックスのグラッフィックデータ、断面図の図面ファイルなどが挙げられる。ＰＣ２は入力された検査内容を一時ＲＡＭに蓄える。
【００６４】
Ｓ４では、ＰＣ２は一時ＲＡＭに蓄えられた検査情報と検査図面と部材関連情報と検査内容とを対応づけてサーバ１に送信する。
【００６５】
サーバ１は、これらの情報の組み合わせに基づいて検査チェックシートを生成する。具体的には、まず、入力された検査情報を基に、検査情報ＤＢ１ａに予め保存されているテンプレートを読み出す。例えば、検査種類「配筋検査」および検査対象部材「柱」という情報から、「柱の配筋検査用テンプレート」を検査情報ＤＢ１ａから読み出す。
【００６６】
テンプレートは、検査情報および検査図面の配置パターンと表示形式を規定している。また、テンプレートは、ＨＴＭＬやＸＭＬのようなマークアップ言語を用いて、検査情報に含まれる工事物件名、検査種類、検査箇所と見取り図面とを相互に参照可能にする第１のリンク情報、検査情報に含まれる各検査対象部材に対応する部材図面と見取り図面上での各検査対象部材の位置情報とを相互に参照可能にする第２のリンク情報を含んでいる。
【００６７】
サーバ１は、読み出したテンプレートの中の空の検査情報および検査図面を、ＰＣ２から受信した検査情報および検査図面で埋めることで検査チェックシートを作成する。
【００６８】
見取り図はテンプレートの見取り図配置位置に埋められるが、サイズが合わない場合は見取り図を拡大、縮小または任意の範囲でトリミングした上で埋める。
【００６９】
部材図面が入力されている場合は、各部材図面に対応する見取り図面上の位置情報に基づいて、当該見取り図面上における各検査対象部材の位置情報がテンプレートに埋められる。この位置情報は見取り図面上でのＸＹ座標情報、あるいはその代替物、例えば通り芯番号で表現される。
【００７０】
検査内容もテンプレートの検査内容配置位置に埋められるが、部材図面の中に検査内容が含まれている場合はこの処理を省略できる。
【００７１】
サーバ１は、作成した検査チェックシートをＤＢ１ａに保存する。
【００７２】
なお、上記の作成を処理するプログラムの実行主体がサーバ１でなくＰＣ２であってもよく、サーバ１でなくＰＣ２が検査チェックシートを作成することもできる。テンプレートがサーバ１にある場合は、ＰＣ２がテンプレートをサーバ１に要求して送信させ、それを受信して、入力された検査情報などを埋め込んでいく。ＰＣ２で作成された検査チェックシートはサーバ１に送信され、ＤＢ１ａに保存される。
【００７３】
そして、サーバ１は、検査情報、検査図面の埋められたテンプレートを検査チェックシートとする。
【００７４】
テンプレートの規定する検査情報および検査図面のレイアウトは任意であるが、携帯端末３での表示レイアウトを規定し、またＰＣ２に接続されたプリンタ４での印刷レイアウトを規定することもできる。あるいは、携帯端末３での表示レイアウト、プリンタ４での印刷レイアウトは、それぞれ携帯端末３あるいはプリンタ４のアプリケーションが決定してもよい。
【００７５】
出来上がった検査チェックシート（検査結果の埋め込まれていないもの）の内容をユーザに確認させるため、サーバ１は、作成された検査チェックシートをプリンタ４で印刷可能なプリントデータに変換した上でプリンタ４に出力し、プリンタ４で検査チェックシートを印刷させてもよい。
【００７６】
また、サーバ１は、出来上がった検査チェックシートの内容を、現場責任者などの上位責任者のアカウント権限でサーバ１にログオンしたＰＣ２や携帯端末３のユーザに閲覧させるとともに、承認または否決の入力を受け付け、承認が入力されればＤＢ１ａに保存し、否決が入力されればＤＢ１ａに保存しないようにしてもよい。
【００７７】
図５は検査業務処理のフローチャートを示す。この処理をサーバ１および携帯端末３に実行させるためのプログラムはサーバ１や携帯端末３の記憶媒体に記憶されている。
【００７８】
Ｓ１１では、携帯端末３からサーバ１に検査員の権限でログインし、検査処理の開始を指令する。このとき、携帯端末３は検査員によって検査現場まで携帯されているものとする。携帯端末３から検査処理の開始を指令があった場合、サーバ１はＤＢ１ａに保存された検査チェックシートをオープンして携帯端末３に送信する。もしＤＢ１ａに保存された検査チェックシートが複数の場合、サーバ１は携帯端末３から選択された検査チェックシートを送信する。あるいは、サーバ１は検査チェックシートに検査実施日時を対応づけてＤＢ１ａに保存しておき、携帯端末３から検査処理の開始を指令があった日時と一致ないし最も近接する検査実施日時に対応する検査チェックシートを携帯端末３に送信する。
【００７９】
また、サーバ１はログインしてきた検査員の名前や検査日時を検査チェックシートに埋め込む検査情報に加えてもよい。検査日時はアクセス日時、検査員の名前はログインユーザ名で代替できる。
【００８０】
サーバ１は各種のデータを携帯端末３から受信してこれをオープンした検査チェックシートと対応づけてＤＢ１ａに保存できる。携帯端末３からサーバ１へのデータ送信のタイミングは任意であり、携帯端末３からデータ入力があるごとでもよいし、特定のタイミング、例えば検査処理の終了時に一括送信してもよい。
【００８１】
携帯端末３は、サーバ１から受信した検査チェックシートをＲＡＭなどの記憶媒体に保存し、保存された検査チェックシートの画像データを映像信号に変換して画像表示装置４８に表示する。検査チェックシートの表示の方法は任意である。例えば、各検査対象部材の設置位置が示された伏図を表示するビューワ画面でもよいし、検査ポイントが箇条書きに列挙されたリスト画面でもよく、さらにビューワ画面またはリスト画面の表示を操作装置への指示に応じて相互に切り替えてもよい。
【００８２】
図８は、サーバ１から受信した検査チェックシートに含まれる伏図を携帯端末３の画像表示装置４８に表示したビューワ画面の一例を示す。
【００８３】
Ｓ１２では、携帯端末３は、画像表示装置４８に表示された伏図から、所望の検査対象部材の位置の選択を受け付ける。選択の方法は任意であり、操作手段４６の十字キーの押下に従って伏図上に配置された検査対象部材間をカーソル移動し、所望のカーソル位置でＯＫキーが押下されたことに応じてカーソル位置のある検査対象部材を選択する。あるいは、伏図上に配置された各検査対象部材に対応する数字キーを押下させることで検査対象部材を選択する。あるいは、伏図上の各検査対象部材の存在位置のうち所望の検査対象部材の存在位置をタッチ指定することで検査対象部材を選択する。
【００８４】
複数存在する検査対象部材の中からどのような順序で検査対象部材を選択していくかも任意であるが、予め検査対象部材の順序を検査情報に含ませておき、その順序に従った選択しか受け付けないようにしてもよい。
【００８５】
Ｓ１３では、携帯端末３は、選択された検査対象部材に対応する検査内容と部材図面を画像表示装置４８に表示する。図６はその表示画面の例である。この画面では、柱の部材を示す断面図が具体的な検査項目（部材の種類、数、ピッチなど）とともに表示されている。また、各検査項目がＯＫかＮＧかを入力可能なチェックボックスも表示されている。また、選択された検査対象部材に対応した検査ポイントのパターン、ここでは柱の水平断面の周囲から柱を見込むような撮影方向を示す検査ポイント１〜９のうちいずれか１つを操作手段４６の十字キーで、あるいは図示しないタッチパネルへの押圧操作などで選択できる。検査ポイントは図示のものに限らない。例えば、検査対象部材が壁であれば、壁左側面、中央、右側面の３つから所望の１つを選択させることもできる。検査ポイントのうち検査済みのポイント、検査済みでないポイント、検査中のポイントを色分けして表示してもよい。例えば、検査済みのポイントは青、検査済みでないポイントは赤、検査中のポイントは黄で表示する。
【００８６】
Ｓ１４では、携帯端末３が、操作手段４６を介して検査ポイントの選択および検査結果の入力を受け付ける。図６の画面では、検査ポイント１〜９のうちいずれか１つの選択入力と、部材の種類、数、ピッチがＯＫかＮＧかを示すチェックの入力を受け付けることができる。その他、検査結果を操作装置からテキスト入力させてもよいし、携帯端末３のボイスメモ機能を利用して検査者の発話音声を検査結果あるいは改修指示の内容を入力させてもよい。
【００８７】
Ｓ１５では、携帯端末３が、選択された検査ポイントから見た検査対象部材の現状を被写体とする画像の撮影の指示を撮影ボタン４４を介して受け付け、撮影指示に応じて開始した撮影によってメモリ３８に取得された画像である証拠写真を、検査チェックシート、選択された部材および検査ポイントと対応づけて再びメモリ３８に保存する。
【００８８】
Ｓ１６では、携帯端末３が、ＥＥＰＲＯＭ３６に蓄積された撮影条件と撮影された証拠写真の撮影条件とを照合し、その一致不一致に応じて証拠写真の合否判定を行う。ＥＥＰＲＯＭ３６に蓄積された撮影条件は予め操作手段４６などから任意に設定されている。
【００８９】
ＥＥＰＲＯＭ３６に蓄積された撮影条件の一例としては、画像の解像度（例えばＶＧＡ以上）、画像のサイズ（例えば640 × 480 ピクセルかそれ以上）、画像ファイルのサイズ（例えば５００ＫＢ以上）、画像に付帯する天地情報の示す上下が画像の実際の上下と合っているか、画像の輝度が所定値を確保しているか、ピンボケが発生していないか（撮影時の画像の鮮鋭度、例えばＡＦ評価値が所定値を上回っているか）、手ブレが発生していないか（携帯端末３に設けられた加速度センサが証拠写真撮影時に検出した加速度が所定値を上回っているか）、被写体のサイズが所定値を確保しているか（例えば水平構造線あるいは垂直構造線が所定のピクセル数を超えているか）、不必要な被写体（例えば人物の顔）が検出されないか、地面が水平であるか、証拠写真内の文字（例えば撮影情報を記載した黒板など）が可読であるか、などが挙げられる。なお、ピンボケや手ブレの有無は特許文献５その他の周知技術を用いて判定できる。
【００９０】
また、合否判定の基準とする撮影条件の種類の組み合わせも任意である。例えば、携帯端末３は、証拠写真を格納する画像ファイルのプロパティ情報（ヘッダ情報あるいはタグ情報として格納）から、画像の解像度、画像サイズ、画像ファイルのサイズを取得し、それらに対応する種類の撮影条件をＥＥＰＲＯＭ３６から読み出して各々比較し、全てのメタ情報がいずれも対応する種類の撮影条件に適合する場合、証拠写真は合格と判定する。
【００９１】
あるいは、携帯端末３は、証拠写真を格納する画像ファイルのメタ情報（ヘッダ情報あるいはタグ情報として格納）から、画像の解像度、画像サイズ、画像ファイルのサイズ、天地情報を取得し、それらに対応する種類の撮影条件をＥＥＰＲＯＭ３６から読み出して各々比較し、全てのメタ情報がいずれも対応する種類の撮影条件に適合する場合、証拠写真は合格と判定する。
【００９２】
あるいは、携帯端末３は、証拠写真を格納する画像ファイルの画像データ本体から、画像の輝度情報の検出、エッジ情報の検出、顔検出、構造線の検出、文字の検出を行い、それらに対応する種類の撮影条件をＥＥＰＲＯＭ３６から読み出して各々比較し、画像からの検出情報のいずれも対応する種類の撮影条件に適合する場合、証拠写真は合格と判定する。
【００９３】
証拠写真あるいはその画像ファイルに由来する各種類の撮影情報が対応する種類の撮影条件に適合するか否かをスコア化し（一致なら１点、不一致なら０点など）、その各種類に対応するスコアの総和もしくは重みづけ総和が所定の値に達しているか否かで総合的に合格不合格を判定してもよい。要するに合否判定の手法は予め設定された何らかの撮影条件を基準として用いる限り任意である。
【００９４】
なお、検査の証拠写真は、証拠の信憑性の確保という観点から、改竄が厳しく制限されている。そのため、合否判定はあくまで撮影した写真そのものが撮影条件を満たすかどうかにのみ基づくべきで、撮影条件を満たすような画像処理を後から行うことは望ましくない。ただし、そのような改変が許される用途に証拠写真を用いる場合はこの限りでない。例えば、明るさ補正や不要な周辺部分のトリミングなどは検査対象の現状を歪めるような性質ではないため許容されるであろう。
【００９５】
携帯端末３は、合否判定の結果を出力する。例えば、携帯端末３は、得られた証拠写真とともに当該証拠写真の合否判定の結果を示す「合格」または「不合格」のような文字あるいはそれに代わるアイコンなどの映像を画像表示装置４８に表示したり、「合格」または「不合格」の音声をスピーカ１４で再生する。あるいは、不合格と判定された場合のみまたは合格と判定された場合のみ、携帯端末３のバイブレーターを起動して合否判定の結果を出力する。検査員は、当該表示、音声再生、あるいはバイブレーター振動で証拠写真の合否を知ることができ、新たに証拠写真を撮影すべきか、あるいは撮影終了してもよいかを判断できる。
【００９６】
不合格の判定を出力する場合は、証拠写真あるいはそれを格納する画像ファイルから得られた情報のうちＥＥＰＲＯＭ３６の撮影条件と一致しなかったものに基づく不合格の理由を示す情報を一緒に出力するとよい。例えば、携帯端末３は、輝度が所定値に満たない場合は、「明るさが足りません」という文字情報不合格の理由を示す情報として画像表示装置４８に表示する。こうすると、検査員は、検査対象をライトで照らしたり、フラッシュを発光させたりして、良好な証拠写真の確保に努めることができる。
【００９７】
Ｓ１７では、携帯端末３が、証拠写真の撮影を完了してよいか否かの選択を操作手段４６を介して受け付ける。完了する旨の選択が入力された場合はＳ１８に進み、完了しない旨の選択が入力された場合はＳ１５に戻って撮影を再び行う。同一の部材かつ同一の検査ポイントに対応する証拠写真は単数でも複数でもよい。なお、検査員が各検査ポイントに対応する証拠写真を１つ１つ撮影して目視確認することを繰り返すよりも、検査員が同一の検査ポイントに対応する撮影を複数撮影しておいて後から必要な画像のみを選別する方が検査効率は上がる。
【００９８】
携帯端末３は、証拠写真の撮影を完了してよいか否かの選択を操作手段４６を介して受け付ける代わりに、合否判定の結果が「合格」であれば証拠写真の撮影を完了した旨の選択が入力されたとみなしてＳ１８に進み、合否判定の結果が「不合格」であれば証拠写真の撮影を完了しない旨の選択が入力されたとみなして、当該不合格と判定された証拠写真をメモリ３８から消去してＳ１５に戻り、撮影指示待機動作すなわちムービースルー画の出力を開始してもよい。こうすれば、ある検査ポイントに対応する証拠写真が合格と判定された場合はその検査ポイントでの撮影をやめることになるため、不要な画像を撮影することが抑えられ、また不合格の場合は合格になるまで撮影を繰り返すよう検査員に促すことができる。このような自動のＳ１８またはＳ１５の分岐を行うかどうかのモード設定を操作手段４６から設定させ、自動の分岐を行うモード設定がされた場合に限ってこのような自動分岐を行ってもよい。撮影環境が暗いなど不良な場合は合否判定の精度が低く自動の分岐を行うのが望ましくないことも考えられるからである。
【００９９】
Ｓ１８では、携帯端末３は、全ての検査対象部材に対応する検査結果の入力および証拠写真の撮影が終わった旨の確認入力を操作手段４６を介して受け付けたか否かに応じて、全ての検査対象部材に対応する証拠写真の撮影が終わったか否かを判断する。Ｙｅｓと判断された場合はＳ１９に進む。Ｎｏと判断された場合はＳ１２に戻って選択された検査ポイントに対応する検査内容の表示、検査結果の入力、証拠写真の撮影を繰り返し、各検査ポイントに対応する検査結果および証拠写真を得る。
【０１００】
Ｓ１９では、各検査ポイントの検査結果を画像表示装置４８に表示する。その表示の形式は任意である。また、図５では検査結果の表示は本処理の最後の処理として示しているが、この処理は検査開始後の任意のタイミングで行うことができる。例えば、各検査ポイントでの証拠写真の終了の都度検査結果を表示することも可能である。あるいは、現在まで終了した検査結果の状況を、ユーザからの指示に応じて一覧表示してもよい。この際、携帯端末３は、まだ検査結果の入力および証拠写真の撮影が終了していない検査対象部材が残っている場合、その検査ポイントを示して検査が完了していない旨を表示画面あるいは音声で通知すれば、検査漏れを防ぐことができる。
【０１０１】
あるいは、携帯端末３は、全ての検査対象部材に対応する証拠写真の撮影が終わったことに応じ、予め設定された通信相手方（サーバ１、ＰＣ２、他の携帯端末３）に対して検査完了を通知するメールを送信してもよい。特に、ある対象部材に対して検査結果ＮＧが入力された場合、その検査結果ＮＧに対応する対象部材および検査ポイントと検査結果の内容と証拠写真とをセットにして、操作手段４６から予め指定された施工担当者の携帯端末３やＰＣ２に改修指示を電子メールその他のデータ通信により通知してもよい。
【０１０２】
図７は再検査処理のフローチャートを示す。この処理を携帯端末３に実行させるためのプログラムは携帯端末３の記憶媒体に記憶されている。この処理は、検査結果ＮＧの検査結果が入力された検査対象部材が少なくとも１つ存在すれば開始することができる。本処理の開始のタイミングは任意であり、検査結果ＮＧの検査結果が入力されたことに応じて開始してもよいし、検査業務処理の終了直後に開始してもよい。
【０１０３】
Ｓ２１では、携帯端末３は、操作手段４６を介して、検査結果ＮＧの検査結果が入力された検査対象部材の中から所望の検査対象部材の選択を受け付ける。検査結果ＮＧの検査対象部材を示すグラフィックを画像表示装置４８の伏図上に示してもよい。これは上述のＳ１２と同様であるが、選択できる検査対象部材を検査結果ＮＧの検査結果に対応するものに限ることで、どこが再検査の対象であるかを自動的に示して検査対象部材の選択を支援する。
【０１０４】
Ｓ２２では、携帯端末３は、選択された検査対象部材に対応する部材図面および検査内容を画像表示装置４８に表示し、選択された検査対象部材に対応する部材図面の検査ポイントの選択を操作手段４６を介して受け付ける。
【０１０５】
Ｓ２３では、携帯端末３は、操作手段４６を介して、再検査結果の入力と、再検査された部材の現状を被写体とする撮影の指示を受け付ける。ここで、前の検査時と同内容（同位置、同アングル）の証拠写真を撮影して改修前後の状態を容易に比較できるようにするため、次の処理を行う。まず、撮影開始の指示に応じて、選択された検査対象部材に対応する前回撮影された証拠写真を、スルームービー画が透過するように重畳して画像表示装置４８に表示する。
【０１０６】
これは例えば、まず、前回の証拠写真からエッジ検出などで被写体の輪郭、構造線、消失点のような基本的構図情報を検出する。基本的構図情報の検出手法は公知のものが採用できる。次に、前回の証拠写真から検出された構図情報以外を消去し、残った画像情報の輝度レベルを０と２５５の間の所望の輝度レベル（例えば１００）にする。そうすると基本的構図情報は半透明となる。この半透明な基本的構図情報をスルームービー画に重畳する。ここでさらに、スルームービー画像から基本的構図情報を検出し、スルームービー画像および前回の証拠写真から検出された同一の構図情報が同一の座標に位置するような画角調整を指示するガイド映像（双方の構図情報が一致するような画角調整方向を示す矢印アイコンや双方の構図情報が一致するようなズーム倍率をインジケータ上で示すアイコン）を重畳する。こうすると、検査者は前回と同一の構図で再検査対象の部材を撮影するような画角調整が容易になる。
【０１０７】
あるいは、前回の証拠写真とスルームービー画を縦方向あるいは横方向に並べて画像表示装置４８に表示してもよい。
【０１０８】
Ｓ２４では、携帯端末３は、検査チェックシートと再検査の結果と新たに撮影した証拠写真とを対応づけてメモリ３８に保存する。前回の証拠写真は消去してもよい。保存された検査結果と証拠写真は、携帯端末３のユーザＩＤと対応づけられてサーバ１に送信され、サーバ１はこれを受信して、検査チェックシートと検査結果と証拠写真とを対応づけてＤＢ１ａに保存する。
【０１０９】
サーバ１は、検査チェックシートのテンプレートに、この検査結果と証拠写真そのもの、あるいはこの検査結果と証拠写真に代替する情報（ハイパーリンクなど）を埋め込んだ上、検査結果と証拠写真が埋め込まれた検査チェックシートである検査済みチェックシートを保存してもよい。例えば、サーバ１は、携帯端末３に送られた検査チェックシートのテンプレートにサーバ１に組み込まれたウェブサーバが公開するこの検査結果と証拠写真に対してアクセスするリンク情報（ＵＲＬなどで記述）を埋め込んで保存してもよい。
【０１１０】
サーバ１は、保存された検査済みチェックシートを、プリンタ４あるいはＰＣ２のディスプレイあるいは携帯端末３の画像表示装置４８を介して外部出力する。
【０１１１】
検査済みチェックシートの出力方式は任意である。例えば、サーバ１は、ＸＳＬＴなどの所定のレイアウト変換ルールに従ってよってＸＭＬデータの検査済みチェックシートを帳票形式にレイアウトしかつＰＤＦのような出力データに変換して保存する。サーバ１は、ＰＣ２からの要求に応じ、このレイアウトされた出力データをＰＣ２に送信する。ＰＣ２は、サーバ１から受信した検査済みチェックシートを、プリンタ４にプリントアウトしたりＰＣ２に接続されたディスプレイあるいは携帯端末３の画像表示装置４８に表示したりする。
【０１１２】
以上のように、本実施形態に係る建設検査システムでは、ＰＣ２で事前に作成した検査チェックシートに含まれる伏図と部材図面を携帯端末３で閲覧しながら所望の検査ポイントを指定し、指定された検査ポイントに対応する証拠写真を携帯端末３で撮影し、両者を対応づけたデータである検査済みチェックシートをサーバ１に保存することができる。そして、サーバ１に保存された検査済みチェックシートは、帳票形式に変換して印刷したり表示したりできる。このため、検査チェックシート作成、検査結果の入力、証拠写真の撮影、帳票の出力という一連の検査作業を、サーバ１、ＰＣ２、携帯端末３を用いて容易に行える。特に、検査ポイントの入力、検査結果の入力および証拠写真の撮影、証拠写真の合否判定、あるいは再撮影は携帯端末３を用いて行えるため、検査現場での携帯性と操作性が高く、また検査現場で確実に良好な証拠写真を確保でき、後から証拠写真を取り直したり、あるいは良否の不明な写真を何枚も撮影しておいて後から選別する必要がなくなる。
【符号の説明】
【０１１３】
１：サーバ、２：パソコン、３：カメラ付き携帯端末、４：プリンタ
【図１】
2010277442.tif 000003
【図２】
2010277442.tif 000004
【図３】
2010277442.tif 000005
【図４】
2010277442.tif 000006
【図５】
2010277442.tif 000007
【図６】
2010277442.tif 000008
【図７】
2010277442.tif 000009
【図８】
2010277442.tif 000010